(57)【特許請求の範囲】
【請求項１】
撮像装置であって、
第１の電池および第２の電池から給電されている場合における前記撮像装置の撮影回数を計測する計測手段と、
前記撮影回数に対応する前記第１の電池の使用量を検出する第１の使用量検出手段と、
前記撮影回数に対応する前記第２の電池の使用量を検出する第２の使用量検出手段と、
前記撮影回数と、前記撮影回数に対応する前記第１の電池の使用量と、前記撮影回数に対応する前記第２の電池の使用量とに基づいて、前記第１の電池に対応する撮影回数を演算する演算手段と
を有することを特徴とする撮像装置。
【請求項２】
前記演算手段は、前記撮影回数（ＰＮ）と、前記撮影回数（ＰＮ）に対応する前記第１の電池の使用量（ＵＳ１）と、前記撮影回数（ＰＮ）に対応する前記第２の電池の使用量（ＵＳ２）と、第１の演算式とを用いて、前記第１の電池に対応する撮影回数（ＰＮ１）を演算するものであり、
前記第１の演算式は、
ＰＮ１＝ＰＮ×ＵＳ１／（ＵＳ１＋ＵＳ２）
であることを特徴とする請求項１に記載の撮像装置。
【請求項３】
前記第１の使用量検出手段は、前記撮影回数が計測される前における前記第１の電池の残量と、前記撮影回数が計測された後における前記第１の電池の残量とに基づいて、前記撮影回数に対応する前記第１の電池の使用量を検出し、
前記第２の使用量検出手段は、前記撮影回数が計測される前における前記第２の電池の残量と、前記撮影回数が計測された後における前記第２の電池の残量とに基づいて、前記撮影回数に対応する前記第２の電池の使用量を検出する
ことを特徴とする請求項１または２に記載の撮像装置。
【請求項４】
前記第１の電池に対応する撮影回数に相当する情報を前記第１の電池に送信するための送信手段をさらに有することを特徴とする請求項１から３のいずれか１項に記載の撮像装置。
【請求項５】
前記演算手段はさらに、前記撮影回数と、前記撮影回数に対応する前記第１の電池の使用量と、前記撮影回数に対応する前記第２の電池の使用量とに基づいて、前記第２の電池に対応する撮影回数を演算することを特徴とする請求項１から４のいずれか１項に記載の撮像装置。
【請求項６】
前記演算手段は、前記撮影回数（ＰＮ）と、前記撮影回数（ＰＮ）に対応する前記第１の電池の使用量（ＵＳ１）と、前記撮影回数（ＰＮ）に対応する前記第２の電池の使用量（ＵＳ２）と、第２の演算式とを用いて、前記第２の電池に対応する撮影回数（ＰＮ２）を演算するものであり、
前記第２の演算式は、
ＰＮ２＝ＰＮ×ＵＳ２／（ＵＳ１＋ＵＳ２）
であることを特徴とする請求項５に記載の撮像装置。
【請求項７】
前記第２の電池に対応する撮影回数に相当する情報を前記第２の電池に送信するための送信手段をさらに有することを特徴とする請求項５または６に記載の撮像装置。
【請求項８】
電子機器であって、
第１の電池および第２の電池から給電されている場合における前記電子機器の動作量を計測する計測手段と、
前記動作量に対応する前記第１の電池の使用量を検出する第１の使用量検出手段と、
前記動作量に対応する前記第２の電池の使用量を検出する第２の使用量検出手段と、
前記動作量と、前記動作量に対応する前記第１の電池の使用量と、前記動作量に対応する前記第２の電池の使用量とに基づいて、前記第１の電池に対応する動作量を演算する演算手段と
を有することを特徴とする電子機器。
【請求項９】
前記演算手段は、前記動作量（ＰＮ）と、前記動作量（ＰＮ）に対応する前記第１の電池の使用量（ＵＳ１）と、前記動作量（ＰＮ）に対応する前記第２の電池の使用量（ＵＳ２）と、第１の演算式とを用いて、前記第１の電池に対応する動作量（ＰＮ１）を演算するものであり、
前記第１の演算式は、
ＰＮ１＝ＰＮ×ＵＳ１／（ＵＳ１＋ＵＳ２）
であることを特徴とする請求項８に記載の電子機器。
【請求項１０】
前記第１の使用量検出手段は、前記動作量が計測される前における前記第１の電池の残量と、前記動作量が計測された後における前記第１の電池の残量とに基づいて、前記動作量に対応する前記第１の電池の使用量を検出し、
前記第２の使用量検出手段は、前記動作量が計測される前における前記第２の電池の残量と、前記動作量が計測された後における前記第２の電池の残量とに基づいて、前記動作量に対応する前記第２の電池の使用量を検出する
ことを特徴とする請求項８または９に記載の電子機器。
【請求項１１】
前記第１の電池に対応する動作量に相当する情報を前記第１の電池に送信するための送信手段をさらに有することを特徴とする請求項８から１０のいずれか１項に記載の電子機器。
【請求項１２】
前記演算手段はさらに、前記動作量と、前記動作量に対応する前記第１の電池の使用量と、前記動作量に対応する前記第２の電池の使用量とに基づいて、前記第２の電池に対応する動作量を演算することを特徴とする請求項８から１１のいずれか１項に記載の電子機器。
【請求項１３】
前記演算手段は、前記動作量（ＰＮ）と、前記動作量（ＰＮ）に対応する前記第１の電池の使用量（ＵＳ１）と、前記動作量（ＰＮ）に対応する前記第２の電池の使用量（ＵＳ２）と、第２の演算式とを用いて、前記第２の電池に対応する動作量（ＰＮ２）を演算するものであり、
前記第２の演算式は、
ＰＮ２＝ＰＮ×ＵＳ２／（ＵＳ１＋ＵＳ２）
であることを特徴とする請求項１２に記載の電子機器。
【請求項１４】
前記第２の電池に対応する撮影回数に相当する情報を前記第２の電池に送信するための送信手段をさらに有することを特徴とする請求項１２または１３に記載の電子機器。
【請求項１５】
撮像装置であって、
第１の電池および第２の電池から給電されている場合における前記撮像装置の撮影回数を計測する計測手段と、
前記撮影回数に対応する前記第１の電池の使用量を検出する第１の使用量検出手段と、
前記撮影回数に対応する前記第２の電池の使用量を検出する第２の使用量検出手段と、
前記第１の電池に対応する撮影回数と、前記第２の電池に対応する撮影回数とを演算する演算手段と
を有し、
前記演算手段は、
前記撮影回数と、前記撮影回数に対応する前記第１の電池の使用量と、前記撮影回数に対応する前記第２の電池の使用量とに基づいて、前記第１の電池に対応する撮影回数を演算し、
前記撮影回数と、前記撮影回数に対応する前記第１の電池の使用量と、前記撮影回数に対応する前記第２の電池の使用量とに基づいて、前記第２の電池に対応する撮影回数を演算する
ことを特徴とする撮像装置。
【請求項１６】
前記第１の使用量検出手段は、前記撮影回数が計測される前における前記第１の電池の残量と、前記撮影回数が計測された後における前記第１の電池の残量とに基づいて、前記撮影回数に対応する前記第１の電池の使用量を検出し、
前記第２の使用量検出手段は、前記撮影回数が計測される前における前記第２の電池の残量と、前記撮影回数が計測された後における前記第２の電池の残量とに基づいて、前記撮影回数に対応する前記第２の電池の使用量を検出する
ことを特徴とする請求項１５に記載の撮像装置。
【請求項１７】
前記第１の電池に対応する撮影回数に相当する情報を前記第１の電池に送信し、前記第２の電池に対応する撮影回数に相当する情報を前記第２の電池に送信するための送信手段をさらに有することを特徴とする請求項１５または１６に記載の撮像装置。
【請求項１８】
電子機器であって、
第１の電池および第２の電池から給電されている場合における前記電子機器の動作量を計測する計測手段と、
前記動作量に対応する前記第１の電池の使用量を検出する第１の使用量検出手段と、
前記動作量に対応する前記第２の電池の使用量を検出する第２の使用量検出手段と、
前記第１の電池に対応する動作量と、前記第２の電池に対応する動作量とを演算する演算手段と
を有し、
前記演算手段は、
前記動作量と、前記動作量に対応する前記第１の電池の使用量と、前記動作量に対応する前記第２の電池の使用量とに基づいて、前記第１の電池に対応する動作量を演算し、
前記動作量と、前記動作量に対応する前記第１の電池の使用量と、前記動作量に対応する前記第２の電池の使用量とに基づいて、前記第２の電池に対応する動作量を演算する
ことを特徴とする電子機器。
【請求項１９】
前記第１の使用量検出手段は、前記動作量が計測される前における前記第１の電池の残量と、前記動作量が計測された後における前記第１の電池の残量とに基づいて、前記動作量に対応する前記第１の電池の使用量を検出し、
前記第２の使用量検出手段は、前記動作量が計測される前における前記第２の電池の残量と、前記動作量が計測された後における前記第２の電池の残量とに基づいて、前記動作量に対応する前記第２の電池の使用量を検出する
ことを特徴とする請求項１８に記載の電子機器。
【請求項２０】
前記第１の電池に対応する動作量に相当する情報を前記第１の電池に送信し、前記第２の電池に対応する動作量に相当する情報を前記第２の電池に送信するための送信手段をさらに有することを特徴とする請求項１８または１９に記載の電子機器。
【発明の詳細な説明】
【技術分野】
【０００１】
本発明は、第１の電池および第２の電池と接続可能な撮像装置および電子機器に関する。
【背景技術】
【０００２】
電池ユニットにおける電池の残量と、その電池による電源供給によって撮影した枚数（撮影枚数又はレリーズ回数）を表示するデジタルカメラは知られている（特許文献１）。このようなデジタルカメラにおいて、撮影枚数を表示する表示部は通常カメラの本体部に設けられる。電池ユニットは、電池とメモリを有し、メモリには撮影枚数を格納している。このメモリへの撮影枚数の書き込みは、デジタルカメラの撮影部の情報を取得するシステム制御回路を介してなされる。システム制御回路と撮影部は共にデジタルカメラ本体部に設けられる。図７は、一つの電池ユニット１と、デジタルカメラ本体部のシステム制御回路３と、撮影部７との関係を示すブロック図である。
【０００３】
また、電源を強化するために複数の電池ユニットを備えた電池アクセサリーも知られている。図８はこのような電池アクセサリーの一例である。電池アクセサリー２は２つの電池ユニット１ａと１ｂと２つのダイオード４ａと４ｂとを有する。ダイオード４ａと４ｂは、例えば、電池ユニット１ａから電池ユニット１ｂに電源供給されないために設けられている。この電池アクセサリー２は２つの電池ユニットの電圧が同じ場合には、２つの電池ユニットから電力を同時に供給することができるが、２つの電池ユニットの電圧が異なる場合には、電圧の大きい電池ユニットからしか電力が供給されない。
【特許文献１】特開２００４−２９４７２３号公報
【発明の開示】
【発明が解決しようとする課題】
【０００４】
図７に示す構成では、撮影部７と電池ユニットの関係が１対１なので、システム制御回路３は撮影部７から撮影枚数の情報を取得して電池ユニット１のメモリに、電池ユニット１で何枚撮影したかを表す撮影枚数情報を書き込むことができる。しかし、図８に示す構成では、撮影部７と電池ユニットの関係が１対２なので、システム制御回路３は撮影部７から取得した撮影枚数の情報を電池ユニット１ａと１ｂのそれぞれにどのように撮影枚数を配分すべきかが分からない。
【０００５】
本発明は、複数の電池ユニットが接続される場合において、当該複数の電池ユニットのうちの一つに対応する撮影回数または動作量を演算できるようにすることを目的とする。
【課題を解決するための手段】
【０００６】
本発明に係る撮像装置の一つは、撮像装置であって、第１の電池および第２の電池から給電されている場合における前記撮像装置の撮影回数を計測する計測手段と、前記撮影回数に対応する前記第１の電池の使用量を検出する第１の使用量検出手段と、前記撮影回数に対応する前記第２の電池の使用量を検出する第２の使用量検出手段と、前記撮影回数と、前記撮影回数に対応する前記第１の電池の使用量と、前記撮影回数に対応する前記第２の電池の使用量とに基づいて、前記第１の電池に対応する撮影回数を演算する演算手段とを有することを特徴とする。
本発明に係る撮像装置の一つは、撮像装置であって、第１の電池および第２の電池から給電されている場合における前記撮像装置の撮影回数を計測する計測手段と、前記撮影回数に対応する前記第１の電池の使用量を検出する第１の使用量検出手段と、前記撮影回数に対応する前記第２の電池の使用量を検出する第２の使用量検出手段と、前記第１の電池に対応する撮影回数と、前記第２の電池に対応する撮影回数とを演算する演算手段とを有し、前記演算手段は、前記撮影回数と、前記撮影回数に対応する前記第１の電池の使用量と、前記撮影回数に対応する前記第２の電池の使用量とに基づいて、前記第１の電池に対応する撮影回数を演算し、前記撮影回数と、前記撮影回数に対応する前記第１の電池の使用量と、前記撮影回数に対応する前記第２の電池の使用量とに基づいて、前記第２の電池に対応する撮影回数を演算することを特徴とする。
【０００７】
本発明に係る電子機器の一つは、電子機器であって、第１の電池および第２の電池から給電されている場合における前記電子機器の動作量を計測する計測手段と、前記動作量に対応する前記第１の電池の使用量を検出する第１の使用量検出手段と、前記動作量に対応する前記第２の電池の使用量を検出する第２の使用量検出手段と、前記動作量と、前記動作量に対応する前記第１の電池の使用量と、前記動作量に対応する前記第２の電池の使用量とに基づいて、前記第１の電池に対応する動作量を演算する演算手段とを有することを特徴とする。
本発明に係る電子機器の一つは、電子機器であって、第１の電池および第２の電池から給電されている場合における前記電子機器の動作量を計測する計測手段と、前記動作量に対応する前記第１の電池の使用量を検出する第１の使用量検出手段と、前記動作量に対応する前記第２の電池の使用量を検出する第２の使用量検出手段と、前記第１の電池に対応する動作量と、前記第２の電池に対応する動作量とを演算する演算手段とを有し、前記演算手段は、前記動作量と、前記動作量に対応する前記第１の電池の使用量と、前記動作量に対応する前記第２の電池の使用量とに基づいて、前記第１の電池に対応する動作量を演算し、前記動作量と、前記動作量に対応する前記第１の電池の使用量と、前記動作量に対応する前記第２の電池の使用量とに基づいて、前記第２の電池に対応する動作量を演算することを特徴とする。
【発明の効果】
【０００９】
本発明によれば、複数の電池ユニットが接続される場合において、当該複数の電池ユニットのうちの一つに対応する撮影回数または動作量を演算することができる。
【発明を実施するための最良の形態】
【００１０】
以下、本発明の電子機器の一例である撮像装置について説明するが、本発明は２次電池で動作するあらゆる電子機器に適用することができる。本実施例の撮像装置は電子カメラ（デジタルカメラ）である。
【００１１】
図１は電子カメラの構成を示すブロック図である。電子カメラは、本体部であるカメラボディ１００と、本体部に装着及び取り外しが可能な電池アクセサリー５００と、を有する。本体部１００は、電池アクセサリー５００の少なくとも一つの電池ユニット５０６ａ(第１の電池）、５０６ｂ(第２の電池）によって並行給電可能である。
【００１２】
１２は、光学像を電気信号に変換する撮像素子１４の露光量を制御する機能を有したシャッターである。レンズユニット３００内の撮影レンズ３１０に入射した光線は、絞り３１２、レンズマウント３０６、１０６、シャッター１２を通じて一眼レフ方式により導かれた撮像素子１４上に光学像として結像する。
【００１３】
１６は撮像素子１４から出力されるアナログ信号をディジタル信号に変換するＡ／Ｄ変換器である。１８は撮像素子１４、Ａ／Ｄ変換器１６及びＤ／Ａ変換器２６にクロック信号や制御信号を供給するタイミング発生回路であり、メモリ制御回路２２及びシステム制御回路（制御部）５０によって制御される。
【００１４】
２０は画像処理回路であり、Ａ／Ｄ変換器１６からのデータあるいはメモリ制御回路２２からのデータに対して画素補間処理や色変換処理を行う。画像処理回路２０は必要に応じて撮像した画像データを用いて演算処理を行い、得られた演算結果に基づき、システム制御回路５０が（露光）シャッター制御部４０及び測距制御部４２を制御するための各種の処理を行う。これらの処理は、ＴＴＬ（スルー・ザ・レンズ）方式のＡＦ（オートフォーカス）処理、ＡＥ（自動露出）処理及びＥＦ（フラッシュ調光）処理を含む。また、画像処理回路２０は、撮像した画像データを用いて演算処理を行い、得られた演算結果に基づいてＴＴＬ方式のＡＷＢ処理を行う。
【００１５】
Ａ／Ｄ変換器１６、タイミング発生回路１８、画像処理回路２０、システム制御回路５０などは、電池アクセサリー５００を電源として動作する動作部（撮影部）として機能する。システム制御回路５０は電池ユニット５０６ａ、５０６ｂから並行給電されているときの撮影回数（動作量）を計測する撮影回数計測手段（動作量計測手段）として機能する。本実施例では、測距制御部４２及び測光制御部４６を専用に備えている。このため、システム制御回路５０は、測距制御部４２及び測光制御部４６を用いてＡＦ処理、ＡＥ処理、ＥＦ処理の各処理を行うことができる。また、システム制御回路５０は、画像処理回路２０を用いてＡＦ処理、ＡＥ処理、ＥＦ処理の各処理を行わない構成としてもよい。
【００１６】
また、測距制御部４２及び測光制御部４６を用いてＡＦ処理、ＡＥ処理、ＥＦ処理の各処理を行ってもよい。また、更に、画像処理回路２０を用いてＡＦ処理、ＡＥ処理、ＥＦ処理の各処理を行ってもよい。
【００１７】
２２はメモリ制御回路であり、Ａ／Ｄ変換器１６、タイミング発生回路１８、画像処理回路２０、画像表示メモリ２４、Ｄ／Ａ変換器２６、メモリ３０及び圧縮・伸長回路３２を制御する。
【００１８】
Ａ／Ｄ変換器１６からのデータは、画像処理回路２０及びメモリ制御回路２２を介して、あるいは直接、メモリ制御回路２２を介して画像表示メモリ２４あるいはメモリ３０に書き込まれる。
【００１９】
２４は画像表示メモリ、２６はＤ／Ａ変換器である。２８はＴＦＴ方式のＬＣＤからなる画像表示部である。画像表示メモリ２４に書き込まれた表示用の画像データはＤ／Ａ変換器２６を介して画像表示部２８に表示される。撮像された画像データを画像表示部２８で逐次表示する場合、電子ファインダ機能を実現することが可能である。画像表示部２８は画像データだけでなく、各設定情報の表示や、電池残量の表示も行う。電池残量の表示を行う場合はシステム制御回路５０がデータを生成しメモリ制御回路２２を介して画像表示メモリ２４へデータを書き込んだ後にＤ／Ａ変換器２６を介して画像表示を行う。また、画像表示部２８はシステム制御回路５０の指示に従って表示のＯＮ／ＯＦＦを任意に行うことが可能であり、表示をＯＦＦにした場合、カメラボディ１００の電力消費を大幅に低減することができる。
【００２０】
３０は撮影された静止画像や動画像を格納するためのメモリであり、所定枚数の静止画像や所定時間の動画像を格納するのに十分な記憶容量を有している。従って、複数枚の静止画像を連続して撮影する連写撮影やパノラマ撮影の場合にも、高速かつ大量の画像書き込みをメモリ３０に対して行うことが可能である。また、メモリ３０はシステム制御回路５０の作業領域としても使用することが可能である。
【００２１】
３２は適応離散コサイン変換（ＡＤＣＴ）などにより画像データを圧縮伸長する圧縮・伸長回路であり、メモリ３０に格納された画像を読み込んで圧縮処理あるいは伸長処理を行い、処理を終えたデータをメモリ３０に書き込む。
【００２２】
４０は測光制御部４６からの測光情報に基づいて絞り３１２を制御する絞り制御部３４０と連携しながらシャッター１２を制御するシャッター制御部である。４２はＡＦ処理を行うための測距制御部である。測距制御部４２は、レンズユニット３００内の撮影レンズ３１０に入射した光線を絞り３１２、レンズマウント３０６、１０６、ミラー１３０及び測距用サブミラー（図示せず）を介して一眼レフ方式で入射させる。これにより、光学像として結像された画像の合焦状態を測定する。
【００２３】
４４は温度計であり、撮影環境における周囲温度を検出する。温度計４４が撮像素子（センサ）１４内にある場合、センサの暗電流をより正確に予想することが可能である。
【００２４】
４６はＡＥ処理を行うための測光制御部である。測光制御部４６は、レンズユニット３００内の撮影レンズ３１０に入射した光線を、絞り３１２、レンズマウント３０６、１０６、ミラー１３０及び測光用サブミラー（図示せず）を介して一眼レフ方式で入射させる。これにより、光学像として結像された画像の露出状態を測定することができる。測光制御部４６はフラッシュ部４８と連携することにより、ＥＦ処理機能も有する。４８はフラッシュ部であり、ＡＦ補助光の投光機能及びＥＦ機能を有する。
【００２５】
なお、画像処理回路２０により演算された演算結果に基づき、システム制御回路５０はシャッター制御部４０、絞り制御部３４０、測距制御部３４２に対し、ビデオＴＴＬ方式を用いた露出制御及びＡＦ制御を行うことができる。
【００２６】
また、測距制御部４２による測定結果と、撮像素子１４によって撮像された画像データを画像処理回路２０によって演算した演算結果とを用いて、ＡＦ制御を行うようにしてもよい。更に、測光制御部４６による測定結果と、撮像素子１４によって撮像された画像データを画像処理回路２０によって演算した演算結果とを用いて露出制御を行うようにしてもよい。
【００２７】
５０はカメラボディ１００全体を制御するシステム制御回路であり、既知のＣＰＵなどを内蔵する。５２はシステム制御回路５０の動作用の定数、変数、プログラムなどを記憶するメモリである。５４はシステム制御回路５０でのプログラムの実行に応じて、文字、画像、音声などで動作状態やメッセージなどを表示する液晶表示装置、スピーカなどを有する表示部であり、カメラボディ１００の操作部近辺の視認し易い単数あるいは複数箇所に設置されている。表示部５４は、ＬＣＤ、ＬＥＤ、発音素子などの組み合わせにより構成されている。また、表示部５４の一部の機能は光学ファインダ１０４内に設けられている。
【００２８】
表示部５４の表示内容のうち、ＬＣＤなどに表示するものとしては、シングルショット／連写撮影表示、セルフタイマ表示、圧縮率表示、記録画素数表示、記録枚数表示、残撮影可能枚数表示、シャッタスピード表示、絞り値表示がある。また、露出補正表示、フラッシュ表示、赤目緩和表示、マクロ撮影表示、ブザー設定表示、エラー表示、複数桁の数字による情報表示、記録媒体２００、２１０の着脱状態表示、レンズユニット３００の着脱状態表示もある。更には、通信Ｉ／Ｆ動作表示、日付・時刻表示、外部コンピュータとの接続状態を示す表示などもある。
【００２９】
また、表示部５４の表示内容のうち、光学ファインダ１０４に表示するものとしては、合焦表示、撮影準備完了表示、手振れ警告表示、フラッシュ充電表示、フラッシュ充電完了表示がある。また、シャッタスピード表示、絞り値表示、露出補正表示、記録媒体書き込み動作表示などもある。
【００３０】
更に、表示部５４の表示内容のうち、ＬＥＤ等に表示するものとしては、例えば、合焦表示、撮影準備完了表示、手振れ警告表示、フラッシュ充電表示がある。また、フラッシュ充電完了表示、記録媒体書き込み動作表示、マクロ撮影設定通知表示、二次電池充電表示などがある。
【００３１】
また、表示部５４の表示内容のうち、ランプ等に表示するものとしては、例えば、セルフタイマ通知ランプ等がある。このセルフタイマ通知ランプはＡＦ補助光と共用してもよい。
【００３２】
５６は後述するプログラムなどが格納された電気的に消去・記録可能な不揮発性メモリであり、不揮発性メモリとしてフラッシュメモリやＥＥＰＲＯＭなどが用いられる。
【００３３】
６０、６２、６４、６６、６８、７０及び７１はシステム制御回路５０の各種動作指示を入力するための操作部であり、スイッチ、ダイヤル、タッチパネル、視線検知によるポインティング、音声認識装置などの単数あるいは複数の組み合わせで構成される。これら操作部の詳細を以下に示す。
【００３４】
６０はモードダイアルスイッチであり、各機能撮影モードを切り替えて設定可能である。これらのモードには、自動撮影モード、プログラム撮影モード、シャッター速度優先撮影モード、絞り優先撮影モード、マニュアル撮影モード、焦点深度優先（デプス）撮影モードがある。また、ポートレート撮影モード、風景撮影モード、接写撮影モード、スポーツ撮影モード、夜景撮影モード、パノラマ撮影モードもある。
【００３５】
６２はシャッタースイッチ（ＳＷ１）であり、シャッターボタン（図示せず）の操作途中でＯＮとなり、ＡＦ処理、ＡＥ処理、ＡＷＢ処理、ＥＦ処理などの動作開始を指示する。
【００３６】
６４はシャッタースイッチ（ＳＷ２）であり、シャッターボタン（図示せず）の操作完了でＯＮとなる。シャッタースイッチ（ＳＷ２）６４は、撮像素子１４から読み出した信号をＡ／Ｄ変換器１６、メモリ制御回路２２を介してメモリ３０に画像データを書き込む露光処理の動作開始を指示する。また、シャッタースイッチ（ＳＷ２）６４は、画像処理回路２０やメモリ制御回路２２での演算を用いた現像処理、メモリ３０から画像データを読み出す動作の開始を指示する。更に、圧縮・伸長回路３２で圧縮を行い、記録媒体２００、２０１に画像データを書き込む記録処理という一連の処理の動作開始を指示する。
【００３７】
６６は再生スイッチであり、撮影モード状態で撮影した画像をメモリ３０あるいは記録媒体２００、２１０から読み出して画像表示部２８に表示する再生動作の開始を指示する。
【００３８】
６８は単写／連写スイッチであり、シャッタースイッチＳＷ２を押した場合、１コマの撮影を行って待機状態とする単写モードと、シャッタースイッチＳＷ２を押している間、連続して撮影を行い続ける連写モードとを設定可能である。
【００３９】
６９はＩＳＯ感度設定スイッチであり、撮像素子１４あるいは画像処理回路２０におけるゲインの設定を変更することによりＩＳＯ感度を設定できる。
【００４０】
７０は各種ボタンやタッチパネルなどからなる操作部であり、メニューボタン、セットボタン、マクロボタン、マルチ画面再生改ページボタン、フラッシュ設定ボタン、単写／連写／セルフタイマ切替ボタンを含む。また、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタンを含む。また、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタンを含む。また、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチを含む。また、ＪＰＥＧ圧縮の圧縮率を選択するため、あるいは撮像素子の信号をそのままディジタル化して記録媒体に記録するＲＡＷモードを選択するためのスイッチである圧縮モードスイッチを含む。また、再生モード、マルチ画面再生・消去モード、ＰＣ接続モード等の各機能モードを設定可能な再生スイッチを含む。また、シャッタースイッチＳＷ１を押した場合に合焦状態を保ち続けるワンショットＡＦモードとシャッタースイッチＳＷ１を押している間、連続してＡＦ動作を続けるサーボＡＦモードとを設定可能なＡＦモード設定スイッチを含む。
【００４１】
また、上記プラスボタン及びマイナスボタンの各機能は、回転ダイアルスイッチを備えることによって、より軽快に数値や機能を選択することが可能となる。
【００４２】
７１は、電源着脱検知スイッチ７１であり、電池アクセサリー５００をカメラボディ１００から取り外す命令が外部から入力されるとＯＦＦからＯＮに切り替わり、電池アクセサリー５００が装着されるとＯＦＦになる。電源着脱検知スイッチ７１がＯＮになってから電池アクセサリー５００が実際にカメラボディ１００から取り外し可能になるまでの間に電源遮断処理が全て行われるだけの時間が確保されている。
【００４３】
このように、本実施例の電源着脱検知スイッチ７１は電池アクセサリー５００の着脱を検出する。別の実施例では電池アクセサリー５００の中の各電池ユニットは、電池アクセサリー５００をカメラボディ１００に装着した状態で電池アクセサリー５００から別個に着脱可能に構成される。この場合には、電源着脱検知スイッチ７１は各電池ユニットの着脱を検出してもよい。
【００４４】
７２は電源スイッチであり、カメラボディ１００の電源オン、電源オフの各モードを切り替え設定可能である。また、カメラボディ１００に接続されたレンズユニット３００、外部ストロボ、記録媒体２００、２１０等の各種付属装置の電源オン、電源オフの設定も合わせて切り替え設定可能である。
【００４５】
８０は電源制御部であり、電池検出回路、ＤＣ−ＤＣコンバータ、通電するブロックを切り替えるスイッチ回路などから構成されている。電源制御部８０は、電池アクセサリー５００の装着の有無、電池ユニットの種類、各電池ユニットの電池の残量の検出を行う。従って、電池アクセサリー５００の着脱は電源着脱検知スイッチ７１が検知することもできるし、電源制御部８０が検知することもできる。電源制御部８０は、その検出結果及びシステム制御回路５０の指示に基づいてＤＣ−ＤＣコンバータを制御し、必要な電圧を必要な期間、記録媒体を含む各部に供給する。
【００４６】
８４及び８６はコネクタで電池ユニットまたは、電池アクセサリー５００との接続部である。
【００４７】
電池アクセサリー５００は、各々が電池とメモリを有する複数の電池ユニット５０６ａ、５０６ｂと、切替回路５０４と、を有する。
【００４８】
切替回路５０４は、ある実施例では、電池ユニット５０６ａ、５０６ｂから電源と通信ラインを切り替える電源・通信切替回路として動作する。通信ラインの切り換えは、各電池ユニットの後述する電池制御手段とシステム制御回路が個別に通信を行い、システム制御回路５０が各電池ユニットの電池残量を個別に取得したり、稼動量を個別に書き込んだりするために必要である。一方、電源を切り換えると図１１に示すような構成となり、稼動量の大幅な増加の効果が失われる。そこで、別の実施例では、切替回路５０４は、電池ユニット５０６ａ、５０６ｂから通信ラインを切り替える通信切替回路として動作するが、電源は切り替えない。
【００４９】
電池ユニット５０６ａは、電池制御手段５１０ａ、温度検出手段５１２ａ、メモリ５１３ａ、放電電流検出用の抵抗５１４ａ、電流検出手段５１６ａ、電池セル５１８ａ、５２０ａを有する。電池ユニット５０６ｂは、電池制御手段５１０ｂ、温度検出手段５１２ｂ、メモリ５１３ｂ、放電電流検出用の抵抗５１４ｂ、電流検出手段５１６ｂ、電池セル５１８ｂ、５２０ｂを有する。
【００５０】
電池制御手段５１０ａ、５１０ｂは電池の制御を行うマイコンである。電池制御は、本体部との通信や電池ユニットの異常を検出する。温度検出手段５１２ａ、５１２ｂは、電池ユニット内の温度を検出する。メモリ５１３ａ、５１３ｂは、撮影部の撮影枚数（撮影回数）を格納する。撮影枚数は、動作部として機能する撮影部の動作回数（動作量、動作履歴）に相当する。メモリ５１３ａ、５１３ｂへの書き込みは、システム制御回路５０から電池制御手段５１０ａ、５１０ｂへの通信（命令）によってなされる。電流検出手段５１６ａ、５１６ｂは放電電流を検出する。電圧検出手段５２２ａ、５２２ｂは、対応する電池セル５１８ａ・５２０ａ・５１８ｂ・５２０ｂの電圧を検出する。
【００５１】
９０及び９４はメモリカードやハードディスク等の記録媒体とのインターフェースである。９２及び９６はメモリカードやハードディスクなどの記録媒体との接続を行うコネクタである。９８はコネクタ９２、９６に記録媒体２００、２１０が装着されているか否かを検知する記録媒体着脱検知部である。
【００５２】
本実施例は、記録媒体を取り付けるインターフェース及びコネクタを２系統装備しているが、記録媒体を取り付けるインターフェース及びコネクタは単数あるいは任意の数の系統数だけ装備されてもよい。また、異なる規格のインターフェース及びコネクタとして、ＰＣＭＣＩＡカードやＣＦ（コンパクトフラッシュ（登録商標））カードなどの規格に準拠したものを用いてもよい。
【００５３】
更に、インターフェース９０、９４、コネクタ９２、９６は、ＰＣＭＣＩＡカードやＣＦ（コンパクトフラッシュ（登録商標））カードなどの規格に準拠したものを用いて構成することができる。この場合、ＬＡＮカード、モデムカード、ＵＳＢカード、ＩＥＥＥ１３９４カード、ＳＣＳＩカード、ＰＨＳなどの通信カードなどの各種通信カードを接続する。これにより、他のコンピュータやプリンタなどの周辺機器との間で画像データや画像データに付属した管理情報を相互に転送することが可能である。
【００５４】
１０４は光学ファインダであり、撮影レンズ３１０に入射した光線を、一眼レフ方式によって、絞り３１２、レンズマウント３０６、１０６、ミラー１３０、１３２を介して導き、光学像として結像させて表示することが可能である。これにより、画像表示部２８による電子ファインダ機能を使用することなく、光学ファインダ１０４だけを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示などが設けられている。
【００５５】
１１０は通信部であり、ＲＳ２３２Ｃ、ＵＳＢ、ＩＥＥＥ１３９４、ＳＣＳＩ、モデム、ＬＡＮ、無線通信などの各種通信機能を有する。１１２は通信部１１０によりカメラボディ１００を他の機器と接続するコネクタ、もしくは無線通信を行う場合のアンテナである。
【００５６】
１２０はレンズマウント１０６内でカメラボディ１００をレンズユニット３００と接続するためのインターフェースである。１２２はカメラボディ１００をレンズユニット３００と電気的に接続するコネクタである。１２４はレンズマウント１０６及び／またはコネクタ１２２にレンズユニット３００が装着されているか否かを検知するレンズ着脱検知部である。
【００５７】
コネクタ１２２はカメラボディ１００とレンズユニット３００との間で制御信号、状態信号、データ信号などを伝え合うと共に、各種電圧の電流を供給する機能も備えている。また、コネクタ１２２は電気通信だけでなく、光通信、音声通信などを伝達する構成としてもよい。
【００５８】
１３０、１３２はミラーであり、撮影レンズ３１０に入射した光線を、一眼レフ方式によって光学ファインダ１０４に導く。ミラー１３２はクイックリターンミラーの構成にしてもハーフミラーの構成にしてもどちらでもよい。
【００５９】
２００はメモリカードやハードディスクなどの記録媒体である。記録媒体２００は、半導体メモリや磁気ディスクなどから構成される記録部２０２、カメラボディ１００とのインターフェース２０４、及びカメラボディ１００との接続を行うコネクタ２０６を有している。２１０は、記録媒体２００と同様、メモリカードやハードディスク等の記録媒体である。記録媒体２１０は、半導体メモリや磁気ディスク等から構成される記録部２１２、カメラボディ１００とのインターフェース２１４、及びカメラボディ１００との接続を行うコネクタ２１６を有している。
【００６０】
３００は交換レンズタイプのレンズユニットである。３０６はレンズユニット３００をカメラボディ１００と機械的に結合するレンズマウントである。レンズマウント３０６内には、レンズユニット３００をカメラボディ１００と電気的に接続する各種機能が含まれている。
【００６１】
３１０は撮影レンズ、３１２は絞りである。３２０はレンズマウント３０６内でレンズユニット３００をカメラボディ１００と接続するためのインターフェースである。３２２はレンズユニット３００をカメラボディ１００と電気的に接続するコネクタである。
【００６２】
コネクタ３２２はカメラボディ１００とレンズユニット３００との間で制御信号、状態信号、データ信号などを伝え合うと共に、各種電流が供給され、あるいは電流を供給する機能を備えている。また、コネクタ３２２は電気信号だけでなく、光信号、音声信号などを伝達する構成としてもよい。
【００６３】
３４０は測光制御部４６からの測光情報に基づいて、シャッター１２を制御するシャッター制御部４０と連携しながら、絞り３１２を制御する絞り制御部である。３４２は撮影レンズ３１０のフォーカシングを制御する測距制御部である。３４４は撮影レンズ３１０のズーミングを制御するズーム制御部である。３５０はレンズユニット３００全体を制御するレンズシステム制御回路である。レンズシステム制御回路３５０は、動作用の定数、変数、プログラムなどを記憶するメモリの機能を備えている。また、レンズシステム制御回路３５０は、レンズユニット３００固有の番号などの識別情報、管理情報、開放絞り値や最小絞り値、焦点距離等の機能情報、現在や過去の各設定値などを保持する不揮発性メモリの機能も備えている。
【００６４】
以下、電子カメラの動作について説明する。図２〜図６はカメラボディ１００の撮影動作処理手順を示すフローチャートであり、ステップは「Ｓ」と略されている。処理プログラムは不揮発性メモリ５６などの記憶媒体に格納されており、メモリ５２にロードされてシステム制御回路５０内のＣＰＵによって実行される。
【００６５】
電池交換などの電源投入により、システム制御回路５０はフラグや制御変数等を初期化し、カメラボディ１００の各部に対して初期設定を行う（Ｓ１０１）。システム制御回路５０は、電源スイッチ７２の設定位置から、電源スイッチ７２が電源ＯＦＦに設定されているか否かを判断する（Ｓ１０２）。
【００６６】
電源スイッチ７２が電源ＯＦＦに設定されている場合（Ｓ１０２）、システム制御回路５０は電池残量を取得する。具体的には、システム制御回路５０は、Ｉ／Ｆ回路部８２を通して電池アクセサリー５００の電池ユニット５０６ａ、５０６ｂの電池制御手段５１０ａ、５１０ｂと通信を行う。そして、システム制御回路５０は、電池ユニット５０６ａの電池セル５１８ａ、５２０ａの残量ＲＳ１（以下、単に、「電池ユニット５０６ａの残量」という。）を取得する（Ｓ１０７）。また、システム制御回路５０は、電池ユニット５０６ｂの電池セル５１８ｂ、５２０ｂの残量（以下、単に、「電池ユニット５０６ｂの残量」という。）ＲＳ２を取得する（Ｓ１０７）。
【００６７】
次に、各電池ユニットの残量と数式１に基づいて各電池ユニットの使用量を演算する（Ｓ１０８）。具体的には、システム制御回路５０は、電池ユニット５０６ａの使用量Ｕ１と電池ユニット５０６ｂの使用量Ｕ２を取得する。すなわち、第１の使用量検出手段および第２の使用量検出手段として機能している。ここで、撮影枚数が１００枚とする。また、撮影前（動作前）（Ｓ１０１）における電池ユニット５０６ａの残量ＲＳ１を残量ＲＳ１ＰＲとし、１８５０ｍＡｈとする。撮影前（動作前）（Ｓ１０１）における電池ユニット５０６ｂの残量ＲＳ２を残量ＲＳ２ＰＲとし、１４５０ｍＡｈとする。撮影後（動作後）（Ｓ１０７）における電池ユニット５０６ａの残量ＲＳ１を残量ＲＳ１ＰＯとし、１５９０ｍＡｈとする。撮影後（動作後）（Ｓ１０７）における電池ユニット５０６ｂの残量ＲＳ２を残量ＲＳ２ＰＯとし、１２３０ｍＡｈとする。これらは、表１で与えられるものとする。また、数式１が成立するものとする。数式１から理解されるように、システム制御回路５０は、撮影部の撮影前後（即ち、動作部の動作前後）の電池の残量を取得してその差を算出することによって電池ユニット毎に電池の使用量を算出する。
【００６８】
【数１】
0005089480.tif 000002
【００６９】
【表１】
0005089480.tif 000003
【００７０】
撮影枚数ＰＮが１００枚の配分は以下のようになる。即ち、電池ユニット５０６ａが寄与した撮影枚数ＰＮ１は数式２で表され、電池ユニット５０６ｂが寄与した撮影枚数ＰＮ２は数式２で表される。ＵＳ１＋ＵＳ２は複数の電池ユニットの使用量の合計である。ＵＳ１／（ＵＳ１＋ＵＳ２）およびＵＳ２／（ＵＳ１＋ＵＳ２）は複数の電池ユニットの使用量の合計に対する各電池ユニットの使用量の比である。この比に動作部の動作量に相当する撮影部による撮影回数を掛けることによって各電池ユニットによって動作した撮影回数を算出して対応する各メモリに書き込むことができる。
【００７１】
【数２】
0005089480.tif 000004
【００７２】
システム制御回路５０は、電池ユニット５０６ａのメモリ５１３ａには撮影回数の配分として５６枚を書き込み、電池ユニット５０６ｂのメモリ５１３ｂには撮影回数の配分として４４枚を書き込む（Ｓ１０９）。撮影回数を書き込む手段は電池残量を検出する時と同一の手段であり、それぞれの電池ユニット５０６ａ、５０６ｂの電池制御手段５１０ａ、５１０ｂに対してシステム制御回路５０が通信を行い、撮影回数を書き込む。
【００７３】
この後で、各表示部の表示を終了状態に変更し、フラグや制御変数などを含む必要なパラメータや設定値、設定モードを不揮発性メモリ５６に記録する。また、電源制御部８０により画像表示部２８を含むカメラボディ１００の各部の不要な電源を遮断する等の終了処理を行った後（Ｓ１０３）、Ｓ１０２に戻る。
【００７４】
本実施例では、Ｓ１０７〜Ｓ１０９までの処理を電源スイッチ７２がオフの状態において行っているが（Ｓ１０２）、電源スイッチ７２がオンの状態にされた直後の初期動作として行ってもよい。
【００７５】
一方、電源スイッチ７２が電源ＯＮに設定されていた場合（Ｓ１０２）、システム制御回路５０はモードダイアルスイッチ６０の設定位置から、モードダイアルスイッチ６０が撮影モードに設定されているか否かを判断する（Ｓ１０３）。
【００７６】
モードダイアルスイッチ６０がその他のモードに設定されている場合（Ｓ１０３）、システム制御回路５０は選択されたモードに応じた処理を実行し（Ｓ１０５）、実行後にＳ１０２に戻る。
【００７７】
一方、モードダイアルスイッチ６０が撮影モードに設定されている場合（Ｓ１０３）、システム制御回路５０は、記録媒体２００、２０１が装着されているか否かの判断、記録媒体２００、２１０に記録された画像データの管理情報の取得を行う。また、システム制御回路５０は、記録媒体２００、２１０の動作状態がカメラボディ１００の動作、特に記録媒体に対する画像データの記録再生動作に問題があるか否かを判断する（Ｓ１０４）。
【００７８】
記録媒体に問題があると判断した場合（Ｓ１０４）、システム制御回路５０は、表示部５４に画像の表示や音声の出力により所定の警告を行った後で（Ｓ１０６）、Ｓ１０２に戻る。
【００７９】
記録媒体に問題がないと判断した場合（Ｓ１０４）、システム制御回路５０は、表示部５４を用いて画像や音声によりカメラボディ１００の各種設定状態の表示を行う。ここで、画像表示部２８の画像表示スイッチがＯＮである場合、画像表示部２８を用いて画像や音声によりカメラボディ１００の各種設定状態を表示するようにしてもよい。
【００８０】
図３に示すように、システム制御回路５０は、シャッタースイッチＳＷ１が押されているか否かを判断し（Ｓ１１０）、シャッタースイッチＳＷ１が押されていない場合、Ｓ１０２に戻る。一方、シャッタースイッチＳＷ１が押されている場合、システム制御回路５０は、測距処理を行って撮影レンズ３１０の焦点を被写体に合わせ、測光処理を行って絞り値及びシャッター速度を決定する測距・測光処理を行う（Ｓ１１１）。測光処理では、必要であればフラッシュの設定を行う。
【００８１】
次に、システム制御回路５０は、シャッタースイッチＳＷ２が押されているか否かを判断し（Ｓ１１２）、シャッタースイッチＳＷ２が押されていない場合、シャッタースイッチＳＷ１が離されたか否かを判断する（Ｓ１１３）。シャッタースイッチＳＷ１が離されるかシャッタースイッチＳＷ２が押されるまでＳ１１２及びＳ１１３の処理を繰り返す。Ｓ１１３でシャッタースイッチＳＷ１が離された場合、Ｓ１０２に移行する。シャッタースイッチＳＷ２が押されている場合には撮影動作（Ｓ１１４）へ移行する。
【００８２】
次に、システム制御回路５０は、メモリ制御回路２２、必要に応じて画像処理回路２０を用いて、メモリ３０の所定領域に書き込まれた撮影画像データを読み出する。次に、システム制御回路５０は、システム制御回路５０の内部メモリあるいはメモリ５２に記憶した演算結果を用いて、ＡＷＢ処理、ガンマ変換処理、色変換処理を含む各種現像処理を行う（Ｓ１１５）。
【００８３】
システム制御回路５０は、メモリ３０の所定領域に書き込まれた画像データを読み出して、設定されたモードに応じた画像圧縮処理を圧縮・伸長回路３２により行う（Ｓ１１６）。また、システム制御回路５０は、メモリ３０の画像記憶バッファ領域の空き画像部分に、撮影して一連の処理を終えた画像データの書き込みを行う。
【００８４】
次に、システム制御回路５０は、メモリ３０の画像記憶バッファ領域に記憶された画像データを読み出す。そして、システム制御回路５０は、インターフェース９０、９４、コネクタ９２、９６を介して、メモリカードやコンパクトフラッシュ（登録商標）カード等の記録媒体２００、２１０に読み出した画像データを書き込む記録処理を開始する（Ｓ１１７）。この記録開始処理は、メモリ３０の画像記憶バッファ領域の空き画像部分に、撮影して一連の処理を終えた画像データの書き込みが新たに行われる度に、その画像データに対して実行される。
【００８５】
尚、記録媒体２００、２０１に画像データの書き込みを行っている間、書き込み動作中であることを示すために、表示部５４に例えばＬＥＤを点滅させる等の記録媒体書き込み動作表示を行う。
【００８６】
次に、システム制御回路５０は、シャッタースイッチＳＷ１が押されているか否かを判断する（Ｓ１１８）。シャッタースイッチＳＷ１が離された状態である場合、Ｓ１０２に戻る。一方、シャッタースイッチＳＷ１が押された状態である場合、Ｓ１１１に移行する。これにより、撮影に関する一連の処理が終了する。
【００８７】
図４は、図２のＳ１０１の初期設定のフローチャートである。初期設定では、電池アクセサリー５００がカメラボディ１００に装着される毎に電池情報を取得して不揮発性メモリ５６に書き込むシーケンスを説明する。電源が投入されると、まず、システム制御回路５０は不揮発性メモリ５６に電池情報が存在するかどうか判断する（Ｓ４０１）。電池情報が不揮発性メモリ５６に存在する場合、システム制御回路５０は、その電子情報のＩＤが不揮発性メモリ５６に存在するかどうかを判断する（Ｓ４０２）。ＩＤが存在する場合、システム制御回路５０は、その電池情報の取得日時が正しいかどうか判断する（Ｓ４０３）。電池情報の取得日時が正しい場合、システム制御回路５０は、同じＩＤの電池情報を更新する（Ｓ４０４）。Ｓ４０５は電池の情報が新規ＩＤだった場合の処理で新規電池情報を取得して不揮発性メモリ５６へ書き込みを行う。Ｓ４０５は、Ｓ４０１、Ｓ４０２、Ｓ４０３においてＮＯの場合に行われる。
【００８８】
ここで、電池情報には、個別の電池を識別するＩＤや充電回数の積算情報、残量などが含まれる。いずれの情報も電池制御手段５１０ａ、５１０ｂによりメモリ５１３ａ、５１３ｂに記憶され、電源・通信切り替え回路５０４・接点８４、８６、Ｉ／Ｆ回路部８２を介してシステム制御回路５０と通信可能である。
【００８９】
次に、電池ユニットの電池残量の取得方法について説明する。電池残量は電池ユニットごとに独立している。電池制御手段５１０ａ・５１０ｂは電池の充電が完了したときに、電池制御手段内のカウンタ（不図示）をクリアにする。電流検出手段５１６ａ、５１６ｂは抵抗５１４ａ、５１４ｂの両端の電圧を測定する。抵抗５１４ａ、５１４ｂの両端の電圧は消費電流に比例するので抵抗の両端の電圧を測定することで消費電流を測定することができる。電池の容量は「ｍＡｈ」という単位で表わされ、ある電流を消費しつづける時間として定義されるので、消費電流を時間積分することで電池の使用量を計算することができる。従って電池の残量は次式で与えられる。
【００９０】
【数３】
0005089480.tif 000005
【００９１】
再び図４に戻って、システム制御回路５０はフラグなどの初期設定を行い（Ｓ４０６）、初期設定（Ｓ１０１）を終了する。
【００９２】
次に、図５のフローチャートを用いて電池アクセサリー５００が電子機器から取り出されたときの処理について説明する。システム制御回路５０は、電源着脱検知スイッチ７１がＯＮしたかどうか判断する（Ｓ９０１）。上述のように、電源着脱検知スイッチ７１は、電池アクセサリー５００をカメラボディ１００から取り外す命令が外部から入力されるとＯＦＦからＯＮに切り替わる。電源着脱検知スイッチ７１がＯＮになってから電池アクセサリー５００が実際にカメラボディ１００から取り外し可能になるまでの間に電源遮断処理が全て行われるだけの時間が確保されている。電源着脱検知スイッチ７１がＯＮした場合、システム制御回路５０は電池情報を取得する（Ｓ９０２）。次に、取得した情報を元に使用量の演算を行い、演算した結果得られた撮影枚数を電池ユニットに書き込む。この演算と書き込み動作は図２のＳ１０８の内容と同じなのでここでは説明を省略する（Ｓ９０３、Ｓ９０４）。そして最後に電源遮断処理を行う（Ｓ９０５）。
【００９３】
図６は、画像表示部２８に表示される電池情報である。電池Ａは電池ユニット５０６ａ（の電池セル５１８ａ、５２０ａ）を表し、電池Ｂは電池ユニット５０６ｂ（の電池セル５１８ｂ、５２０ｂ）を表している。図６から、電池ユニット毎に、電池の残量、消費電力に対応するレリーズ回数（撮影枚数）が表示されることが理解される。
【００９４】
このように、本実施例によれば、複数の電池ユニットを用いた場合に本体部の電子機器の各電池による正確な本体部の稼動量の把握が可能となる。具体的には実際に使用した電池ユニットの使用量の比から本体部の稼動量の算出を行うので正確な稼動量表示が可能となる。また、同時に複数の電池から供給される回路構成も使用できるために、稼動量を書き込んだ従来の仕組みに対して電池の持ちが約４倍となる。
【００９５】
また、本実施例においては、電池の残量、使用量、稼動量の分配の算出をシステム制御回路５０が行っていたが、電源制御部８０、電池制御手段５１０ａ、５１０ｂが行ってもよい。また、画像表示部２８が電池情報を表示するが、表示部５４が表示したり、電池アクセサリー５００がかかる表示部を有したりしてもよい。
【００９６】
以上、本発明の好ましい実施例について説明したが、本発明はこれらの実施例に限定されないことはいうまでもなく、その要旨の範囲内で種々の変形及び変更が可能である。
【図面の簡単な説明】
【００９７】
【図１】本実施例の電子機器の一例としての撮像装置のブロック図である。
【図２】図１に示す撮像装置の（システム制御回路の）動作を説明するためのフローチャートである。
【図３】図２に示す処理Ｂの詳細を示すフローチャートである。
【図４】図２に示すＳ１０１の初期設定の詳細を示すフローチャートである。
【図５】図１に示す撮像装置の（システム制御回路の）動作を説明するためのフローチャートである。
【図６】図１に示す電子カメラの画像表示部に表示される電池情報である。
【図７】従来の電源システムのブロック図である。
【図８】従来の電源システムのブロック図である。
【符号の説明】
【００９８】
２８                        画像表示部
５０                        システム制御回路（制御部）
７１                        電源着脱検知スイッチ
７２                        電源スイッチ
１００                      画像処理装置（本体部）
５００                      電池アクセサリー
５０６ａ、５０６ｂ          電池ユニット
５１３ａ、５１３ｂ          メモリ
５１８ａ、５１８ｂ、５２０ａ、５２０ｂ      電池セル（電池）
【図１】
0005089480.tif 000006
【図２】
0005089480.tif 000007
【図３】
0005089480.tif 000008
【図４】
0005089480.tif 000009
【図５】
0005089480.tif 000010
【図６】
0005089480.tif 000011
【図７】
0005089480.tif 000012
【図８】
0005089480.tif 000013